(57)【要約】【課題】ヒンジに対して簡易に取り付けることのできるヒンジカバーを提供する。【解決手段】このヒンジカバー２０は、ボルト取付け面１５に係合される係合部２１と、係合部２１の上部を覆うように前方に向けて突出して配置される天井部２２と、係合部２１の左右側面を覆うように前方に向けて突出して配置される左右一対の側壁部２３と、係合部２１の前面を覆うように配置されるとともに前記左右一対の側壁部２３に支持される前面部２５とを備える。係合部２１は、緩めたボルト１３を挿入するためのボルト挿入孔２７と、ボルト挿入孔２７と接続されるとともにボルト取付け面１５に取り付けられたボルト１３の位置と対応する位置に形成されるボルト固定孔２９とを備え、緩めたボルト１３をボルト挿入孔２７に挿入して当該ボルト挿入孔２７からボルト固定孔２９へスライド移動させた後、ボルト１３を締結することでヒンジ１１に固定される。【選択図】図３
2018100529.tif 000002
【特許請求の範囲】
【請求項１】
ボルトにより取り付けられるヒンジの当該ボルトが取り付けられたボルト取付け面を覆うためのヒンジカバーであって、
前記ボルト取付け面に係合される係合部と、
前記係合部の上部を覆うように前方に向けて突出して配置される天井部と、
前記係合部の左右側面を覆うように前方に向けて突出して配置される左右一対の側壁部と、
前記係合部の前面を覆うように配置されるとともに前記左右一対の側壁部に支持される前面部と、
を備え、
前記係合部は、
緩めた前記ボルトを挿入するためのボルト挿入孔と、
前記ボルト挿入孔と接続されるとともに前記ボルト取付け面に取り付けられた前記ボルトの位置と対応する位置に形成されるボルト固定孔と、
を備え、
緩めた前記ボルトを前記ボルト挿入孔に挿入して当該ボルト挿入孔から前記ボルト固定孔へスライド移動させた後、前記ボルトを締結することで前記ヒンジに固定されることを特徴とするヒンジカバー。
【請求項２】
請求項１に記載のヒンジカバーにおいて、
前記前面部は、
前記ボルトを締結する工具を挿入するための工具挿入孔と、
前記工具挿入孔を塞ぐ蓋部と、
を備えることを特徴とするヒンジカバー。
【請求項３】
請求項１又は２に記載のヒンジカバーにおいて、
前記左右一対の側壁部と前記前面部とは分離可能に形成され、
前記左右一対の側壁部は、凹部又は凸部のいずれか一方を備え、
前記前面部は、前記一対の側壁部が備える前記凹部又は前記凸部に対応する前記凹部又は前記凸部のいずれか他方を備え、
前記左右一対の側壁部と前記前面部とがそれぞれ備える前記凹部と前記凸部を係合することで、当該前面部が当該左右一対の側壁部に固定されることを特徴とするヒンジカバー。
【発明の詳細な説明】
【技術分野】
【０００１】
本発明は、戸や蓋などを開閉自在とするヒンジのボルト取付け面を覆うために、ヒンジに対して取り付けられるヒンジカバーに関するものである。
【背景技術】
【０００２】
ヒンジは、例えば、開き戸や蓋などに用いる金具であり、一方の戸や蓋などにボルトなどの締結手段により取り付けられる第一ヒンジ片と、他方の戸や蓋などにボルトなどの締結手段により取り付けられる第二ヒンジ片と、第一ヒンジ片と第二ヒンジ片とを連結するヒンジ軸と、を備える。このような構成により、ヒンジは戸や蓋などを開閉自在とする（例えば、下記の特許文献１参照。）。
【先行技術文献】
【特許文献】
【０００３】
【特許文献１】特許第４８７０１３８号明細書
【発明の概要】
【発明が解決しようとする課題】
【０００４】
従来、戸や蓋などに取り付けられたヒンジに対して、ヒンジを覆うためのヒンジカバーを取り付ける場合には、ヒンジを取り付けているボルトなどの締結手段を取り外して、戸や蓋などから第一ヒンジ片と第二ヒンジ片とヒンジ軸とを含むヒンジ全体を一旦取り外す必要があり、手間がかかるという課題があった。また、戸や蓋などからヒンジを取り外す際には、取り外したボルトなどの締結手段を紛失する虞があった。
【０００５】
本発明は、上述した課題に鑑みて成されたものであり、その目的は、戸や蓋などを開閉自在とするヒンジのボルト取付け面を覆うために、ヒンジに対して取り付けられるヒンジカバーにおいて、既に戸や蓋などに取り付けられたヒンジに対して簡易に取り付けることのできるヒンジカバーを提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係るヒンジカバー（２０，１２０）は、ボルト（１３）により取り付けられるヒンジ（１１）の当該ボルト（１３）が取り付けられたボルト取付け面（１５）を覆うためのヒンジカバー（２０，１２０）であって、前記ボルト取付け面（１５）に係合される係合部（２１，１２１）と、前記係合部（２１，１２１）の上部を覆うように前方に向けて突出して配置される天井部（２２，１２２）と、前記係合部（２１，１２１）の左右側面を覆うように前方に向けて突出して配置される左右一対の側壁部（２３，１２３）と、前記係合部（２１，１２１）の前面を覆うように配置されるとともに前記左右一対の側壁部（２３，１２３）に支持される前面部（２５，１２５）と、を備え、前記係合部（２１，１２１）は、緩めた前記ボルト（１３）を挿入するためのボルト挿入孔（２７）と、前記ボルト挿入孔（２７）と接続されるとともに前記ボルト取付け面（１５）に取り付けられた前記ボルト（１３）の位置と対応する位置に形成されるボルト固定孔（２９）と、を備え、緩めた前記ボルト（１３）を前記ボルト挿入孔（２７）に挿入して当該ボルト挿入孔（２７）から前記ボルト固定孔（２９）へスライド移動させた後、前記ボルト（１３）を締結することで前記ヒンジ（１１）に固定されることを特徴とするものである。
【０００８】
また、本発明に係るヒンジカバー（２０）において、前記前面部（２５）は、前記ボルト（１３）を締結する工具を挿入するための工具挿入孔（３１）と、前記工具挿入孔（３１）を塞ぐ蓋部（３３）と、を備えることとすることができる。
【０００９】
さらに、本発明に係るヒンジカバー（１２０）において、前記左右一対の側壁部（１２３）と前記前面部（１２５）とは分離可能に形成され、前記左右一対の側壁部（１２３）は、凹部（３５）又は凸部（３７）のいずれか一方を備え、前記前面部（１２５）は、前記一対の側壁部（１２３）が備える前記凹部（３５）又は前記凸部（３７）に対応する前記凹部（３５）又は前記凸部（３７）のいずれか他方を備え、前記左右一対の側壁部（１２３）と前記前面部（１２５）とがそれぞれ備える前記凹部（３５）と前記凸部（３７）を係合することで、当該前面部（１２５）が当該左右一対の側壁部（１２３）に固定されることとすることができる。
【発明の効果】
【００１０】
本発明によれば、既に戸や蓋などに取り付けられたヒンジに対して簡易に取り付けることのできるヒンジカバーを提供することができる。
【図面の簡単な説明】
【００１１】
【図１】開き戸に設置されたヒンジを示す図であって、第一の実施形態に係るヒンジカバーが設置されていない状態を示す図であり、図１中の分図（ａ）は開き戸の正面視を、図１中の分図（ｂ）は開き戸の側面視を示している。
【図２】開き戸に設置されたヒンジを示す図であって、第一の実施形態に係るヒンジカバーが設置された状態を示す部分透視図であり、図２中の分図（ａ）は開き戸の正面視を、図２中の分図（ｂ）は開き戸の側面視を示している。
【図３】第一の実施形態に係るヒンジカバーを示す図であり、図３中の分図（ａ）は、第一の実施形態に係るヒンジカバーの正面図であり、図３中の分図（ｂ）は、第一の実施形態に係るヒンジカバーの底面図であり、図３中の分図（ｃ）は、第一の実施形態に係るヒンジカバーの背面図であり、図３中の分図（ｄ）は、第一の実施形態に係るヒンジカバーの右側面図であり、さらに、図３中の分図（ｅ）は、図３中の分図（ａ）に示されたＡ−Ａ線断面図である。
【図４】第一の実施形態に係る蓋部を示す図であり、図４中の分図（ａ）は、第一の実施形態に係る蓋部の正面図であり、図４中の分図（ｂ）は、図４中の分図（ａ）に示されたＢ−Ｂ線断面図である。
【図５】第二の実施形態に係るヒンジカバーの前面部を取り付けていない状態を示す図であり、図５中の分図（ａ）は、第二の実施形態に係るヒンジカバーの正面図であり、図５中の分図（ｂ）は、第二の実施形態に係るヒンジカバーの底面図であり、図５中の分図（ｃ）は、第二の実施形態に係るヒンジカバーの右側面図であり、さらに、図５中の分図（ｄ）は、図５中の分図（ａ）に示されたＣ−Ｃ線断面図である。
【図６】第二の実施形態に係るヒンジカバーの前面部を示す図であり、図６中の分図（ａ）は、第二の実施形態に係る前面部の背面図であり、図６中の分図（ｂ）は、第二の実施形態に係る前面部の底面図であり、図６中の分図（ｃ）は、第二の実施形態に係る前面部の左側面図であり、さらに、図６中の分図（ｄ）は、図６中の分図（ａ）に示されたＤ−Ｄ線断面図である。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
図１は、開き戸に設置されたヒンジを示す図であって、第一の実施形態に係るヒンジカバーが設置されていない状態を示す図であり、図１中の分図（ａ）は開き戸の正面視を、図１中の分図（ｂ）は開き戸の側面視を示している。また、図２は、開き戸に設置されたヒンジを示す図であって、第一の実施形態に係るヒンジカバーが設置された状態を示す部分透視図であり、図２中の分図（ａ）は開き戸の正面視を、図２中の分図（ｂ）は開き戸の側面視を示している。
【００１４】
本実施形態に係るヒンジカバー２０，１２０は、例えば図１および図２を対比すると明らかな通り、開き戸１００に設置されたヒンジ１１に取り付けられるものである。
【００１５】
ヒンジ１１は、複数のボルト１３によって、例えば戸１０１に設置される。図１に示すように、これらのボルト１３が取り付けられたボルト取付け面１５は、露出している。そこで、本実施形態に係るヒンジカバー２０，１２０を取り付けることで、ヒンジ１１のボルト取付け面１５を覆うことが可能となる。
【００１６】
［第一の実施形態に係るヒンジカバー２０］
まず、第一の実施形態に係るヒンジカバー２０について、図３および図４を用いて説明する。ここで、図３は、第一の実施形態に係るヒンジカバーを示す図であり、図３中の分図（ａ）は、第一の実施形態に係るヒンジカバーの正面図であり、図３中の分図（ｂ）は、第一の実施形態に係るヒンジカバーの底面図であり、図３中の分図（ｃ）は、第一の実施形態に係るヒンジカバーの背面図であり、図３中の分図（ｄ）は、第一の実施形態に係るヒンジカバーの右側面図であり、さらに、図３中の分図（ｅ）は、図３中の分図（ａ）に示されたＡ−Ａ線断面図である。また、図４は、第一の実施形態に係る蓋部を示す図であり、図４中の分図（ａ）は、第一の実施形態に係る蓋部の正面図であり、図４中の分図（ｂ）は、図４中の分図（ａ）に示されたＢ−Ｂ線断面図である。
【００１７】
第一の実施形態に係るヒンジカバー２０は、ヒンジ１１のボルト取付け面１５に係合される係合部２１と、係合部２１の上部を覆うように前方に向けて突出して配置される天井部２２と、係合部２１の左右側面を覆うように前方に向けて突出して配置される左右一対の側壁部２３と、係合部２１の前面を覆うように配置されるとともに左右一対の側壁部２３に支持される前面部２５と、を備える。
【００１８】
係合部２１は、ボルト１３によってヒンジ１１のボルト取付け面１５に係合される部分である。本実施形態では、係合部２１は、１つのボルト１３と係合する棒状の係合部材２１Ａと、係合部材２１Ａの左右に形成される空間２１Ｂと、によって形成されている。なお、係合部２１は、ヒンジ１１のボルト取付け面１５と係合することができる構成であれば良く、複数のボルト１３と係合するように係合部材２１Ａを複数設けても良いし、係合部材２１Ａに後述するボルト挿入孔２７およびボルト固定孔２９を複数設けても良い。また、係合部２１に空間２１Ｂを形成しなくても良い。
【００１９】
係合部２１は、緩めたボルト１３を挿入するためのボルト挿入孔２７と、ボルト挿入孔２７と接続されるとともにボルト取付け面１５に取り付けられたボルト１３の位置と対応する位置に形成されるボルト固定孔２９と、を備える。本実施形態では、係合部２１は、ボルト挿入孔２７およびボルト固定孔２９を１つ備えて構成されているが、ボルト挿入孔２７およびボルト固定孔２９の数は、適宜変更することができる。
【００２０】
係合部２１は、緩めたボルト１３をボルト挿入孔２７に挿入して当該ボルト挿入孔２７からボルト固定孔２９へスライド移動させた後、後述する工具挿入孔３１からボルト１３を締結するための工具を挿入してボルト１３を締結することで、ボルト１３の頭部とヒンジ１１のボルト取付け面１５との間で挟み込まれ、係合部２１がヒンジ１１のボルト取付け面１５に係合されることとなる。
【００２１】
係合部２１と天井部２２、左右一対の側壁部２３および前面部２５は、一体の部材として形成されており、これら複数の部位の集合体として、第一の実施形態に係るヒンジカバー２０が構成されている。また、図３および図４に示すように、前面部２５は、ボルト１３を締結する工具を挿入するための工具挿入孔３１と、工具挿入孔３１を塞ぐ蓋部３３と、を備えている。
【００２２】
工具挿入孔３１は、図３に示すように、ヒンジ１１のボルト取付け面１５に取り付けられたボルト１３の位置と対応する位置に形成されるボルト固定孔２９に係合されるボルト１３を締結することができるように、ボルト固定孔２９の位置と対応する位置に形成される。
【００２３】
蓋部３３は、工具挿入孔３１を塞ぐためのものであり、工具挿入孔３１の形状と対応する形状に形成される。
【００２４】
本実施形態に係るヒンジカバー２０は、ヒンジ１１を戸１０１に取り付けている複数のボルト１３のうちの１つを緩めて、緩めたボルト１３をボルト挿入孔２７に挿入して当該ボルト挿入孔２７からボルト固定孔２９へスライド移動させた後、工具挿入孔３１からボルト１３を締結するための工具を挿入してボルト１３を締結することでヒンジ１１に固定される。そして、工具挿入孔３１を蓋部３３で塞ぐことにより、本実施形態に係るヒンジカバー２０は、ヒンジ１１の前方前面の全てを覆い、ヒンジ１１のボルト取付け面１５が露出しないように構成されている。
【００２５】
上述したように、本実施形態に係るヒンジカバー２０によれば、既に取り付けられているヒンジ１１にヒンジカバー２０を取り付ける際、ヒンジ１１自体を取り外す必要がなく、１つのボルト１３を一旦緩めた後に締め付けるという作業だけで、ヒンジカバー２０の取り付け作業が完了するため、取り付ける手間がかからないという効果を得ることができる。また、本実施形態に係るヒンジカバー２０によれば、ボルト１３をヒンジ１１のボルト取付け面１５から完全に取り外す必要がないため、ボルト１３を紛失する虞がない。
【００２６】
以上、第一の実施形態に係るヒンジカバー２０について説明した。次に、第二の実施形態に係るヒンジカバー１２０について、図５および図６を用いて説明する。ここで、図５は、第二の実施形態に係るヒンジカバーの前面部を取り付けていない状態を示す図であり、図５中の分図（ａ）は、第二の実施形態に係るヒンジカバーの正面図であり、図５中の分図（ｂ）は、第二の実施形態に係るヒンジカバーの底面図であり、図５中の分図（ｃ）は、第二の実施形態に係るヒンジカバーの右側面図であり、さらに、図５中の分図（ｄ）は、図５中の分図（ａ）に示されたＣ−Ｃ線断面図である。また、図６は、第二の実施形態に係るヒンジカバーの前面部を示す図であり、図６中の分図（ａ）は、第二の実施形態に係る前面部の背面図であり、図６中の分図（ｂ）は、第二の実施形態に係る前面部の底面図であり、図６中の分図（ｃ）は、第二の実施形態に係る前面部の左側面図であり、さらに、図６中の分図（ｄ）は、図６中の分図（ａ）に示されたＤ−Ｄ線断面図である。なお、上述した実施形態と同一又は類似する構成については、同一符号を付して、説明を省略する場合がある。
【００２７】
［第二の実施形態に係るヒンジカバー１２０］
第二の実施形態に係るヒンジカバー１２０は、ヒンジ１１のボルト取付け面１５に係合される係合部１２１と、係合部１２１の上部を覆うように前方に向けて突出して配置される天井部１２２と、係合部１２１の左右側面を覆うように前方に向けて突出して配置される左右一対の側壁部１２３と、係合部１２１の前面を覆うように配置されるとともに左右一対の側壁部１２３に支持される前面部１２５と、を備える。本実施形態では、前面部１２５が、係合部１２１や天井部１２２および左右一対の側壁部１２３とは異なる部材として構成されている。すなわち、第二の実施形態に係るヒンジカバー１２０では、図５で示される係合部１２１と天井部１２２および左右一対の側壁部１２３が一体の部材として構成されるとともに、図６で示される前面部１２５が単独の部材として構成されることで、ヒンジカバー１２０から前面部１２５が分離可能に構成されている。
【００２８】
係合部１２１は、ボルト１３によってヒンジ１１のボルト取付け面１５に係合される部分である。本実施形態では、係合部１２１は、２つのボルト１３と係合する係合部材１２１Ａと、係合部材１２１Ａの周囲に倒コの字形状に形成される空間１２１Ｂと、によって形成されている。なお、係合部１２１は、ヒンジ１１のボルト取付け面１５と係合することができる構成であれば良く、空間１２１Ｂを形成しなくても良い。
【００２９】
係合部１２１は、緩めたボルト１３を挿入するためのボルト挿入孔２７と、ボルト挿入孔２７と接続されるとともにボルト取付け面１５に取り付けられたボルト１３の位置と対応する位置に形成されるボルト固定孔２９と、を備える。本実施形態では、係合部１２１は、ボルト挿入孔２７およびボルト固定孔２９を２つ備えて構成されているが、ボルト挿入孔２７およびボルト固定孔２９の数は、適宜変更することができる。
【００３０】
係合部１２１は、前面部１２５を取り外した状態で、緩めたボルト１３をボルト挿入孔２７に挿入して当該ボルト挿入孔２７からボルト固定孔２９へスライド移動させた後、ボルトを締結するための工具によりボルト１３を締結することで、ボルト１３の頭部とヒンジ１１のボルト取付け面１５との間で挟み込まれ、係合部１２１がヒンジ１１のボルト取付け面１５に係合されることとなる。
【００３１】
また、上述したように本実施形態では、係合部１２１と天井部１２２および左右一対の側壁部１２３が一体の部材として形成されており、これら複数の部位のうち、左右一対の側壁部１２３が、前面部１２５を支持するように構成されている。すなわち、本実施形態では、側壁部１２３は、図５中の分図（ｃ）および分図（ｄ）に示すように、左右一対の側壁部１２３それぞれの略中央位置に、１つずつ凹部３５が形成されている。
【００３２】
一方、前面部１２５は、図６に示すように、側壁部１２３が備える凹部３５に対応する凸部３７を備えている。
【００３３】
側壁部１２３に対して前面部１２５を嵌め込み、側壁部１２３に形成される凹部３５と前面部１２５に形成される凸部３７を係合させることで、前面部１２５が側壁部１２３に固定される。なお、凹部３５と凸部３７の設置関係については、本実施形態の場合とは逆に、側壁部１２３に凸部３７を形成し、前面部１２５に凹部３５を形成することとしても良い。
【００３４】
上述した構成を有する第二の実施形態に係るヒンジカバー１２０では、前面部１２５を取り外した状態で、ヒンジ１１を戸１０１に取り付けている複数のボルト１３のうちの２つを緩めて、緩めたボルト１３をボルト挿入孔２７に挿入して当該ボルト挿入孔２７からボルト固定孔２９へスライド移動させた後、前面部１２５が取り外された状態のヒンジカバー１２０の前面側から工具を使用してボルト１３を締結することで、まずは、係合部１２１と天井部１２２および左右一対の側壁部１２３によって構成される一体の部材がヒンジ１１に固定される。その後、側壁部１２３に対して前面部１２５を嵌め込み、側壁部１２３に形成される凹部３５と前面部１２５に形成される凸部３７を係合することで、前面部１２５が側壁部１２３に固定されて前面部１２５がヒンジ１１を覆い、ヒンジ１１のボルト取付け面１５が露出しないようになる。
【００３５】
本実施形態に係るヒンジカバー１２０によれば、上述した第一の実施形態と同様に、既に取り付けられているヒンジ１１にヒンジカバー１２０を取り付ける際、ヒンジ１１自体を取り外す必要がなく、２つのボルト１３を一旦緩めた後に締め付けるという作業だけで、ヒンジカバー１２０の取り付け作業が完了するため、取り付ける手間がかからないという効果を得ることができる。また、本実施形態に係るヒンジカバー１２０によれば、ボルト１３をヒンジ１１のボルト取付け面１５から完全に取り外す必要がないため、ボルト１３を紛失する虞がない。また、本実施形態に係るヒンジカバー１２０は、前面部１２５の取り付け取り外しを容易に行うことができ、しかも、ヒンジカバー１２０の前面部分を大きく開口することができるので、ボルト１３を緩めたり締め付けたりする作業を容易にすることが可能となる。つまり、本実施形態によれば、取付作業性の高いヒンジカバー１２０を提供することが可能である。
【００３６】
以上、本発明の好適な実施形態について説明したが、本発明の技術的範囲は上記実施形態に記載の範囲には限定されない。上記実施形態には、多様な変更又は改良を加えることが可能である。
【００３７】
例えば、第一の実施形態に係る左右一対の側壁部２３および前面部２５を分離可能に形成し、側壁部２３に凹部又は凸部のいずれか一方を形成し、側壁部２３に形成される凹部又は凸部に対応する凹部又は凸部のいずれか他方を前面部２５に形成し、前面部２５を側壁部２３に固定することとすることができる。
【００３８】
また、例えば、第二の実施形態に係る前面部１２５に、ボルト１３を締結するための工具を挿入するための工具挿入孔３１を形成し、当該工具挿入孔３１を蓋部３３で塞ぐこととすることができる。
【００３９】
さらに、第一の実施形態に係るヒンジカバー２０と第二の実施形態に係るヒンジカバー１２０とを融合させた形態のヒンジカバーを実現することも可能である。
【００４０】
その様な変更又は改良を加えた形態も本発明の技術的範囲に含まれ得ることが、特許請求の範囲の記載から明らかである。
【符号の説明】
【００４１】
１１  ヒンジ、１３  ボルト、１５  ボルト取付け面、２０，１２０  ヒンジカバー、２１，１２１  係合部、２１Ａ，１２１Ａ  係合部材、２１Ｂ，１２１Ｂ  空間、２２  天井部、２３，１２３  側壁部、２５，１２５  前面部、２７  ボルト挿入孔、２９  ボルト固定孔、３１  工具挿入孔、３３  蓋部、３５  凹部、３７  凸部、１００  開き戸、１０１  戸。
【図１】
2018100529.tif 000003
【図２】
2018100529.tif 000004
【図３】
2018100529.tif 000005
【図４】
2018100529.tif 000006
【図５】
2018100529.tif 000007
【図６】
2018100529.tif 000008